(57)【要約】【課題】小型化と接続時の省スペース性と接続信頼性に優れた小型デジタルＴＶチューナユニットを提供する。【解決手段】アンテナ入力端子１２とデジタルチューナ回路Ｃ１とデコーダ回路Ｃ２とＲＦ回路Ｃ３とアンテナ出力端子１３とが破線で示すループ線Ｒ上に配置される。ループ線Ｒは、始点の位置に終点が回帰する。従って、始点としてのアンテナ入力端子１２と終点としてのアンテナ出力端子１３とを近接した位置に配置することができる。これにより、各回路を一直線に配置した場合と比較してプリント基板１７の長さを短く形成することができ、筐体１１もコンパクトに形成することができる。【選択図】図３
2008294553.tif 000002
【特許請求の範囲】
【請求項１】
アナログチューナを備えるアナログ受像機に取り付ける小型デジタルＴＶチューナユニットにおいて、
略箱状の筐体と、
上記筐体における上記アナログ受像機に対面する面に設けられた端子面と、
上記端子面に設けられ外部からのアンテナ線が接続されるアンテナ入力端子と、
上記端子面において上記アンテナ入力端子に併設され上記アナログ受像機に接続するアンテナ出力端子と、
上記アンテナ入力端子を始点とし上記アンテナ出力端子を終点とした上記筐体の内部におけるループ線上に配置され、上記アンテナ入力端子から入力したデジタル放送信号をアナログ放送信号に変換して上記アンテナ出力端子に出力する変換回路とを具備することを特徴とする小型デジタルＴＶチューナユニット。
【請求項２】
上記変換回路が使用するＲＡＭおよびＲＯＭが上記ループ線の周外に配置されることを特徴とする請求項２に記載の小型デジタルＴＶチューナユニット。
【請求項３】
上記端子面と上記ループ線は互いに平行とされるとともに、これらに対して上記アンテナ入力端子と上記アンテナ出力端子の軸方向が直交することを特徴とする請求項１または請求項２のいずれかに記載の小型デジタルＴＶチューナユニット。
【請求項４】
上記変換回路は、
上記筐体の内部にて上記アンテナ入力端子から入力されたデジタル放送信号を受信し、デジタル信号を生成するデジタルチューナ部と、
上記筐体の内部にて上記ＲＡＭおよび上記ＲＯＭを使用しつつ上記デジタル信号を復号しつつアナログ信号に変換するデコーダ部と、
上記筐体の内部にて上記アナログ信号をアナログ放送信号に変調し上記アンテナ出力端子に出力するＲＦ部とを具備することを特徴とする請求項２または請求項３のいずれかに記載の小型デジタルＴＶチューナユニット。
【請求項５】
電源回路が上記ループ線の周外に配置されることを特徴とする請求項１から請求項４のいずれか一項に記載の小型デジタルＴＶチューナユニット。
【請求項６】
アナログチューナを備えるアナログ受像機に取り付ける小型デジタルＴＶチューナユニットにおいて、
略箱状の筐体と、
上記筐体における上記アナログ受像機に対面する面に設けられた端子面と、
上記端子面に設けられ外部からのアンテナ線が接続されるアンテナ入力端子と、
上記端子面において上記アンテナ入力端子に併設され上記アナログ受像機に接続するアンテナ出力端子と、
上記筐体の内部にて上記アンテナ入力端子から入力されたデジタル放送信号を受信し、デジタル信号を生成するデジタルチューナ部と、
上記筐体の内部にて上記デジタル信号を復号しつつアナログ信号に変換するデコーダ部と、
上記筐体の内部にて上記アナログ信号をアナログ放送信号に変調し上記アンテナ出力端子に出力するＲＦ部とを具備するとともに、
上記デジタルチューナ部と上記デコーダ部と上記ＲＦ部は上記アンテナ入力端子を始点とし上記アンテナ出力端子を終点とした上記筐体の内部におけるループ線上に順に配置され、電源回路および上記デコーダ部が使用するＲＡＭおよびＲＯＭは当該ループ線の周外に配置され、上記アンテナ入力端子と上記アンテナ出力端子の軸方向は互いに平行な上記端子面と上記ループ線に対して直交することを特徴とする小型デジタルＴＶチューナユニット。
【発明の詳細な説明】
【技術分野】
【０００１】
この発明は、小型デジタルＴＶチューナユニットに関し、特にアナログチューナを備えるアナログ受像機に取り付ける小型デジタルＴＶチューナユニットに関する。
【背景技術】
【０００２】
近年、地上波デジタルテレビジョン放送の導入にともない、既存のアナログチューナを備えたアナログ受像機の有効活用のため外付けのデジタルＴＶチューナユニットの需要が増加している。例えば、セットトップボックス型のデジタルＴＶチューナユニットが提供されており、このデジタルＴＶチューナユニットを接続することでアナログ受像機においても地上波デジタルテレビジョン放送の映像音声を視聴することが可能となっている。しかしながら、セットトップボックス型のデジタルＴＶチューナユニットは設置スペースを要するため、小型化したデジタルＴＶチューナユニットの提供が望まれていた。
このような要請に対して、例えば、受信系や再生系の回路を同一のプリント基板上に高密度で配線した信号処理装置が提案されている（特許文献４、参照。）。
【特許文献１】実用新案登録第３０９６１７２号公報
【特許文献２】特開２００６−１５７３７８号公報
【特許文献３】特開２００６−７９７７８号公報
【特許文献４】特開２００２−５７９５０号公報
【発明の開示】
【発明が解決しようとする課題】
【０００３】
特許文献４に開示された回路の配置においては、アンテナ信号を入力する入力端子と、映像信号と音声信号を出力する出力端子とが本体を挟んだ反対側の面に存在する。従って、出力端子による電気的接続によって信号処理装置をアナログ受像機に固定することを想定した場合に、アンテナ入力端子に接続したアンテナ線がぐらつくことにより、反対側の面にある出力端子に負荷がかかり破損するおそれがあった。また、必然的にアンテナ入力端子がアナログ受像機から遠い位置に位置することとなるため、例えばアナログ受像機の背面に信号処理装置を配置した場合に、アナログ受像機の背面のスペースを、ある程度確保しておかなければならないという問題もあった。また、チューナユニットの回路構成として特許文献１〜３も提示されているが、これらにおいても十分な小型化と接続時の省スペース性を実現することができなかった。
【０００４】
本発明は、このような課題にかんがみてなされたもので、小型化と接続時の省スペース性と接続信頼性に優れた小型デジタルＴＶチューナユニットの提供を目的とする。
【課題を解決するための手段】
【０００５】
こうした目的を達成するため、請求項１にかかる発明では、アナログチューナを備えるアナログ受像機に取り付ける小型デジタルＴＶチューナユニットにおいて、略箱状の筐体と、上記筐体における上記アナログ受像機に対面する面に設けられた端子面と、上記端子面に設けられ外部からのアンテナ線が接続されるアンテナ入力端子と、上記端子面において上記アンテナ入力端子に併設され上記アナログ受像機に接続するアンテナ出力端子と、上記アンテナ入力端子を始点とし上記アンテナ出力端子を終点とした上記筐体の内部におけるループ線上に配置され、上記アンテナ入力端子から入力したデジタル放送信号をアナログ放送信号に変換して上記アンテナ出力端子に出力する変換回路とを具備する構成としてある。
【０００６】
上記のように構成した請求項１の発明において、小型デジタルＴＶチューナユニットは略箱状の筐体を有しており、当該筐体に各構成部材が備えられる。端子面は上記筐体における上記アナログ受像機に対面する面に設けられ、外部からのアンテナ線が接続されるアンテナ入力端子が当該端子面に設けられる。さらに、上記端子面においては、上記アナログ受像機に接続するアンテナ出力端子が上記アンテナ入力端子に併設される。上記アナログ受像機に対面する端子面にて上記アンテナ出力端子と上記アンテナ入力端子とが備えられるため、上記アンテナ入力端子に接続したアンテナ線がぐらついても上記アンテナ出力端子と上記アナログ受像機との接続部が大きくぐらつきことを防止できる。さらに、上記アンテナ入力端子から入力したデジタル放送信号をアナログ放送信号に変換して上記アンテナ出力端子に出力する変換回路が上記筐体の内部に備えられるとともに、この変換回路を構成する各回路が上記アンテナ入力端子を始点とし上記アンテナ出力端子を終点としたループ線上に配置される。これにより、上記変換回路をコンパクトに形成することができるとともに、短い配線長によってノイズを低減することができる。
【０００７】
また、本発明の一態様によれば、上記変換回路が使用するＲＡＭおよびＲＯＭが上記ループ線の周外に配置される構成とされる。これにより、上記変換回路の終点に形成されアナログ信号を伝送される上記アンテナ出力端子から、高速なデータ伝送によって干渉ノイズを発生させやすい上記ＲＡＭおよび上記ＲＯＭを遠ざけることができ、アナログノイズを低減することができる。上記ＲＡＭおよび上記ＲＯＭを上記ループ線の周外に配置することによりループ径を小さくすることができ、配線長を短くすることができる。
【０００８】
さらに、本発明の別の一態様によれば、上記端子面と上記ループ線は互いに平行とされるとともに、これらに対して上記アンテナ入力端子と上記アンテナ出力端子の軸方向が直交する構成とされる。上記アナログ受像機と対面する上記端子面に対して上記ループ線が平行となるため、上記変換回路を上記アナログ受像機に沿った方向に配置することができる。従って、上記アナログ受像機に対して上記筐体を沿わせて設置することができ、省スペースを実現することができる。
【０００９】
さらに、本発明の別の一態様によれば、上記変換回路は、上記筐体の内部にて上記アンテナ入力端子から入力されたデジタル放送信号を受信し、デジタル信号を生成するデジタルチューナ部と、上記筐体の内部にて上記ＲＡＭおよび上記ＲＯＭを使用しつつ上記デジタル信号を復号しつつアナログ信号に変換するデコーダ部と、上記筐体の内部にて上記アナログ信号をアナログ放送信号に変調し上記アンテナ出力端子に出力するＲＦ部とを具備する構成とされる。すなわち、上記変換回路を構成する要素として、上記デジタルチューナ部と上記デコーダ部と上記ＲＦ部とが備えられ、これらが上記筐体の内部における上記ループ線上に配置される。また、上記ＲＡＭおよび上記ＲＯＭは上記デコーダ部おけるデコード処理等に使用される。
【００１０】
さらに、本発明の別の一態様によれば、電源回路が上記ループ線の周外に配置される構成とされる。例えば、ＤＣ変換を行う電源回路を備えた場合、当該電源回路もノイズ源となるため上記ループ線の周外に配置しておくことが望ましい。
【００１１】
以上の構成をさらに具体化した小型デジタルＴＶチューナユニットによっても本発明を実現することができ、その具体例として請求項６にかかる発明は、アナログチューナを備えるアナログ受像機に取り付ける小型デジタルＴＶチューナユニットにおいて、略箱状の筐体と、上記筐体における上記アナログ受像機に対面する面に設けられた端子面と、上記端子面に設けられ外部からのアンテナ線が接続されるアンテナ入力端子と、上記端子面において上記アンテナ入力端子に併設され上記アナログ受像機に接続するアンテナ出力端子と、上記筐体の内部にて上記アンテナ入力端子から入力されたデジタル放送信号を受信し、デジタル信号を生成するデジタルチューナ部と、上記筐体の内部にて上記デジタル信号を復号しつつアナログ信号に変換するデコーダ部と、上記筐体の内部にて上記アナログ信号をアナログ放送信号に変調し上記アンテナ出力端子に出力するＲＦ部とを具備するとともに、上記デジタルチューナ部と上記デコーダ部と上記ＲＦ部は上記アンテナ入力端子を始点とし上記アンテナ出力端子を終点とした上記筐体の内部におけるループ線上に順に配置され、電源回路および上記デコーダ部が使用するＲＡＭおよびＲＯＭは当該ループ線の周外に配置され、上記アンテナ入力端子と上記アンテナ出力端子の軸方向は互いに平行な上記端子面と上記ループ線に対して直交する構成としてある。
【００１２】
かかる構成においても請求項２から請求項５の各発明の発明特定事項が含まれるため、請求項１から請求項５の各発明の単独または相乗的な作用効果が実現できることはいうまでもない。
【発明を実施するための最良の形態】
【００１３】
以下の順序にしたがって本発明の一実施形態を説明する。
（１）第１の実施形態：
（２）変形例：
（１）第１の実施形態
図１は、本発明の一実施形態にかかる小型デジタルＴＶチューナユニットの外観を斜めから見て示している。同図において、小型デジタルＴＶチューナユニット１０は略矩形箱状の筐体１１を有している。筐体１１は、端子面１１ａを有しており、端子面１１ａに軸方向が直交するアンテナ入力端子１２とアンテナ出力端子１３とが端子面１１ａに併設されており、アンテナ入力端子１２は同軸アンテナ線が接続可能なメス端子形状であり、アンテナ出力端子１３は同軸アンテナのオス端子形状とされている。
【００１４】
むろん、これらの端子形状は他の形状であってもよく、例えばヨーロッパなどで広く普及しているＳＣＡＲＴ端子を採用するなどして、仕向け地に応じた端子を使用してもよい。また、アンテナ入力端子１２とアンテナ出力端子１３は端子面１１ａにおける上方の辺に寄った位置に備えられており、アンテナ入力端子１２とアンテナ出力端子１３の近くには、外部の電源アダプタからＤＣ電源を入力する電源端子１４と、ＬＲ音声端子と映像端子の３端子からなるコンポジット出力端子１５が設けられている。筐体１１において端子面１１ａに直交する側面においては、リモコン受光部１６が外部に露出している。
【００１５】
図２は、小型デジタルＴＶチューナユニット１０を分解した様子を示している。同図に示すように端子面１１ａに対して平行なプリント基板１７を有しており、プリント基板１７の上辺付近にアンテナ入力端子１２とアンテナ出力端子１３と電源端子１４とコンポジット出力端子１５とが直交するように取り付けられている。筐体１１を閉じた場合には、これらの端子が筐体１１の外側に臨み、これらの端子に対して外部から接続することが可能となる。
【００１６】
図３は、プリント基板１７に実装される各ＩＣ回路の配置を示している。プリント基板１７の上辺においては上述した各端子を実装するための回路が形成されている。デジタルチューナ回路Ｃ１がアンテナ入力端子１２の直下に配置されている。デジタルチューナ回路Ｃ１は、リモコン受光部１６から入力されたリモコン信号に基づいて選局する周波数帯を設定し、当該周波数帯の放送信号を増幅や検波を行いつつデジタル信号に復調する。また、デジタルチューナ回路Ｃ１においては、多重化された複数のデジタル放送信号を分離させるデマルチプレックス回路やデジタル信号の暗号化を解除するデスクランブル回路が備えられ、多重化および暗号化が解除されたデジタル信号が後段のデコーダ回路Ｃ２に出力される。
【００１７】
デコーダ回路Ｃ２は、圧縮状態で入力されたデジタル信号の圧縮を解除する。デコーダ回路Ｃ２の下方にはＲＯＭ１７ａとＲＡＭ１７ｂが実装されている。ＲＯＭ１７ａにはデコーダ回路Ｃ２が使用するプログラムが記憶されており、当該プログラムにしたがった演算をデコーダ回路Ｃ２のプロセッサがＲＡＭ１７ｂに一時データを記録しつつ実行することにより、デジタル信号が復号され圧縮が解除される。デコード処理には膨大な演算が必要となるため、高速に読み出しが可能なＲＡＭ１７ｂが必要となる。
【００１８】
デコーダ回路Ｃ２においては、ＤＡ変換回路が備えられており、圧縮が解除されたデジタル映像信号とデジタル音声信号がそれぞれ所定形式のアナログ映像信号とアナログ音声信号に変換され、後段のコンポジット出力端子１５およびＲＦ回路Ｃ３に出力される。例えばＮＴＳＣ方式やＰＡＬ方式などの規格に準拠したアナログ映像信号に変換される。また、デコーダ回路Ｃ２は、上記のアナログ映像信号と並行して輝度信号と色信号とが合成されたコンポジット映像信号も生成する。
【００１９】
ＲＦ回路Ｃ３はデコーダ回路Ｃ２の上方に備えられており、ＮＴＳＣ方式やＰＡＬ方式などのアナログ映像信号とアナログ音声信号を下方のデコーダ回路Ｃ２から入力する。ＲＦ回路Ｃ３においては、アナログ映像信号とアナログ音声信号を所定の搬送周波数に変調することにより、アナログ放送信号を生成する。例えば、日本においてはＶＨＦ帯において１ｃｈまたは２ｃｈに割り当てられた搬送周波数に変調される。
【００２０】
映像信号と音声信号は搬送周波数をずらして変調されるため、双方ともアナログ放送信号に重畳させて搬送することができる。変調されたアナログ放送信号は、ＲＦ回路Ｃ３の上方に位置するアンテナ出力端子１３にて外部のアナログ受像機に出力される。一方、デコーダ回路Ｃ２が生成したコンポジット映像信号とアナログ音声信号は、アンテナ出力端子１３に併設されたコンポジット出力端子１５に入力され、コンポジット出力端子１５からそのまま外部に出力される。
【００２１】
以上の回路配置において、アンテナ入力端子１２とデジタルチューナ回路Ｃ１とデコーダ回路Ｃ２とＲＦ回路Ｃ３とアンテナ出力端子１３とが破線で示すループ線Ｒ上に配置されているということができる。ループ線Ｒは、アンテナ入力端子１２を始点としアンテナ出力端子１３を終点とした反時計回りのループ状となっている。なお、ループ線Ｒは各回路の配置を説明する仮想的な線であり、実際には各回路は最短（直線）で結合したパターン配線によって接続されている。
【００２２】
ループ線Ｒによれば、始点の位置に終点が回帰するため、アンテナ入力端子１２とアンテナ出力端子１３とを近接した位置に配置することができる。このようにループ線Ｒ上に各回路を配置することにより、各回路を一直線に配置した場合と比較してプリント基板１７の長さを短く形成することができ、筐体１１もコンパクトに形成することができる。また、デコーダ回路Ｃ２の下方に備えられたＲＯＭ１７ａとＲＡＭ１７ｂはループ線Ｒの周外に配置されていることとなり、ＲＯＭ１７ａとＲＡＭ１７ｂをループ線Ｒの周内に配置した場合と比較して、ループ線Ｒの径を小さくすることができ、配線長の低減することができる。
【００２３】
ＲＯＭ１７ａとＲＡＭ１７ｂは、信号がアナログで伝送されるアンテナ出力端子１３から離れた位置となるため、ＲＯＭ１７ａとＲＡＭ１７ｂにおける高速な読み書きによるノイズの映像や音声への影響も防止することができる。プリント基板１７の面積を要するループ線Ｒの面方向は端子面１１ａに対して平行となっているため、アンテナ出力端子１３の軸方向に関して筐体１１の厚みを薄く形成することができる。
【００２４】
図４は、アナログチューナを内蔵するアナログ受像機としてのアナログテレビジョンに小型デジタルＴＶチューナユニット１０を取り付けた様子を示している。アナログテレビジョン２０の背面には、同軸のアンテナ線を差し込むためのメス端子が備えられており、当該メス端子にアンテナ出力端子１３を差し込むことによって固定されている。なお、小型デジタルＴＶチューナユニット１０を取り付けるにあたり、予め外部のアンテナからのアンテナ線Ｌをアンテナ入力端子１２に接続しておく。
【００２５】
むろん、他の固定機構を設けるようにしてもよいが、アンテナ出力端子１３の電気的接続によって小型デジタルＴＶチューナユニット１０のアナログテレビジョン２０に対する固定もなされる。アンテナ出力端子１３は端子面１１ａに対して直交するため、アナログテレビジョン２０の背面に対して端子面１１ａが略平行に対面することとなる。端子面１１ａに直交したアンテナ出力端子１３の軸方向に関して筐体１１の厚みを薄く形成されているため、アナログテレビジョン２０の背面のスペースが狭くても十分に取り付けることができる。また、小型デジタルＴＶチューナユニット１０に何らかのものが引っかかる可能性が低くなるため、小型デジタルＴＶチューナユニット１０の破損が防止できる。
【００２６】
アンテナ線Ｌは室内を引き回されるため、アンテナ線Ｌが引っ張られることが考えられる。その場合、アンテナ線Ｌが接続されたアンテナ入力端子１２には負荷がかかることとなるが、アンテナ入力端子１２がアンテナ出力端子１３の近くに設けられているため、筐体１１を介したモーメントがアンテナ出力端子１３に大きく作用することが防止できる。従って、アンテナ出力端子１３とアナログテレビジョン２０との接続部への負荷を低減させることができるとともに、これらの接続信頼性を高いものとすることができる。アナログテレビジョン２０が内蔵するアナログチューナに対して、１ｃｈまたは２ｃｈを受信するように設定しておけば、小型デジタルＴＶチューナユニット１０が生成したアナログ放送信号を受信し、アナログテレビジョン２０にて映像・音声を再生することができる。
【００２７】
小型デジタルＴＶチューナユニット１０のチューナ回路Ｃ１が受信するチャンネルはリモコン信号によって制御することができるため、視聴者は所望の視聴チャンネルをリモコンよって設定することができる。なお、アナログテレビジョン２０がコンポジット入力端子を備える場合、コンポジット出力端子１５とＲＣＡケーブルを接続して外部（ビデオ）入力モードに切り換えることにより、アナログテレビジョン２０にてデジタルテレビジョンを視聴することもできる。
【００２８】
（２）変形例
以上においては外部の電源アダプタから小型デジタルＴＶチューナユニット１０がＤＣを受け取るものを示したが、小型デジタルＴＶチューナユニット１０に商用ＡＣ電源を直接接続できるようにしてもよい。図５は、小型デジタルＴＶチューナユニット１０にＤＣ変換を行う電源回路を備えたものを示している。同図において、電源回路Ｃ４は、プリント基板１７の下方であってループ線Ｒの周外に設けられている。電源回路Ｃ４には、整流や電圧調整や電圧安定化を行うための回路が含まれるが、これらをアナログ信号が伝送されるＲＦ回路Ｃ３とアンテナ出力端子１３から遠ざけることにより、映像や音声にノイズが混入することが防止できる。なお、ＡＣケーブルが引っ張られることも考えられるため、アンテナ出力端子１３とアナログテレビジョン２０との接続部の近くからＡＣケーブルを筐体１１の内部に引き込むことが望ましい。
【図面の簡単な説明】
【００２９】
【図１】小型デジタルＴＶチューナユニットの斜視図である。
【図２】小型デジタルＴＶチューナユニットの分解斜視図である。
【図３】変換回路の配置図である。
【図４】小型デジタルＴＶチューナユニットの取り付け図である。
【図５】変形例にかかる変換回路の配置図である。
【符号の説明】
【００３０】
１０…小型デジタルＴＶチューナユニット、１１…筐体、１１ａ…端子面、１２…アンテナ入力端子、１３…アンテナ出力端子、１４…電源端子、１５…コンポジット出力端子、１６…リモコン受光部、１７…プリント基板、１７ａ…ＲＯＭ、１７ｂ…ＲＡＭ、２０…アナログテレビジョン、Ｃ１…デジタルチューナ回路、Ｃ２…デコーダ回路、Ｃ３…ＲＦ回路、Ｃ４…電源回路、Ｌ…アンテナ線、Ｒ…ループ線。
【図１】
2008294553.tif 000003
【図２】
2008294553.tif 000004
【図３】
2008294553.tif 000005
【図４】
2008294553.tif 000006
【図５】
2008294553.tif 000007